(57)【要約】【課題】ＶｏＬＴＥ機能を用いて音声通話中または呼び出し中の携帯端末が、ＬＴＥ網から３Ｇフェムト網へ移動した際、その音声通話または呼び出しを引き継ぐ。【解決手段】ＧＷ１００が、ＬＴＥ網におけるアクセス網に配置されたＭＭＥ２００と、ＩＭＳ−フェムトセルエリアを通信エリアとするＦＡＰ３００とに接続され、音声通話中または呼び出し中の携帯端末がＬＴＥ網の通信エリアからＩＭＳ−フェムトセルエリアへ移動した際、その携帯端末の呼処理を、ＭＭＥ２００からＦＡＰ３００へ引き継がせる。【選択図】図１
2015231139.tif 000002
【特許請求の範囲】
【請求項１】
ＬＴＥ（Ｌｏｎｇ  Ｔｅｒｍ  Ｅｖｏｌｕｔｉｏｎ）網に配置されたコントロールノードと、ＩＭＳ（ＩＰ  Ｍｕｌｔｉｍｅｄｉａ  Ｓｕｂｓｙｓｔｅｍ）−フェムトセルエリアを通信エリアとするフェムトセル用基地局とに接続され、音声通話中または呼び出し中の携帯端末が前記ＬＴＥ網の通信エリアから前記ＩＭＳ−フェムトセルエリアへ移動した際、該携帯端末の呼処理を、前記コントロールノードから前記フェムトセル用基地局へ引き継がせるゲートウェイ装置。
【請求項２】
請求項１に記載のゲートウェイ装置において、
前記コントロールノードとの間のインタフェース機能を持つＭＭＥインタフェース部と、
前記フェムトセル用基地局との間のインタフェース機能を持つＦＡＰインタフェース部と、
前記ＭＭＥインタフェース部が、前記コントロールノードから送信された所定の信号を受信した場合、前記呼処理の引継ぎを要求する要求信号を、前記ＦＡＰインタフェース部を介して前記フェムトセル用基地局へ送信する引継処理部とを有するゲートウェイ装置。
【請求項３】
請求項２に記載のゲートウェイ装置において、
前記フェムトセル用基地局を管理するＦＡＰデータ管理部を有し、
前記引継処理部は、前記ＭＭＥインタフェース部が、前記コントロールノードから送信された所定の信号を受信した場合、前記要求信号の送信先の検索を前記ＦＡＰデータ管理部へ要求し、前記ＦＡＰデータ管理部から通知された検索結果に基づいて、前記要求信号を送信し、
前記ＦＡＰデータ管理部は、前記引継処理部から前記要求信号の送信先の検索を要求された場合、管理しているフェムトセル用基地局の中から前記要求信号の送信先を検索し、該検索の結果を前記引継処理部へ通知するゲートウェイ装置。
【請求項４】
請求項２または請求項３に記載のゲートウェイ装置において、
前記引継処理部は、前記要求信号を前記フェムトセル用基地局へ送信した後、該フェムトセル用基地局から該要求信号に対応する第１の応答信号が送信されてきた場合、前記ＭＭＥインタフェース部が受信した前記所定の信号に対応する第２の応答信号を、前記ＭＭＥインタフェース部を介して前記コントロールノードへ送信するゲートウェイ装置。
【請求項５】
請求項２から４のいずれか１項に記載のゲートウェイ装置において、
前記引継処理部は、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）機能を用いて前記携帯端末の呼処理を引き継がせるゲートウェイ装置。
【請求項６】
ＩＭＳ−フェムトセルエリアを通信エリアとし、ゲートウェイ装置から、音声通話中または呼び出し中の携帯端末の呼処理を、ＬＴＥ（Ｌｏｎｇ  Ｔｅｒｍ  Ｅｖｏｌｕｔｉｏｎ）網に配置されたコントロールノードから引き継ぐ要求を受けた場合、ＶｏＬＴＥ（Ｖｏｉｃｅ  ｏｖｅｒ  ＬＴＥ）の機能を有する所定のサーバに対して呼の設定要求を行うためのメッセージを送信するフェムトセル用基地局。
【請求項７】
音声通話を行う携帯端末と、
ＬＴＥ（Ｌｏｎｇ  Ｔｅｒｍ  Ｅｖｏｌｕｔｉｏｎ）網に配置されたコントロールノードと、
ＩＭＳ（ＩＰ  Ｍｕｌｔｉｍｅｄｉａ  Ｓｕｂｓｙｓｔｅｍ）−フェムトセルエリアを通信エリアとするフェムトセル用基地局と、
前記コントロールノードと、前記フェムトセル用基地局とに接続され、音声通話中または呼び出し中の前記携帯端末が前記ＬＴＥ網の通信エリアから前記ＩＭＳ−フェムトセルエリアへ移動した際、該携帯端末の呼処理を、前記コントロールノードから前記フェムトセル用基地局へ引き継がせるゲートウェイ装置とを有し、
前記フェムトセル用基地局は、前記ゲートウェイ装置から、前記携帯端末の呼処理を、前記コントロールノードから引き継ぐ要求を受けた場合、ＶｏＬＴＥ（Ｖｏｉｃｅ  ｏｖｅｒ  ＬＴＥ）の機能を有する所定のサーバに対して呼の設定要求を行うためのメッセージを送信する通信システム。
【請求項８】
音声通話を行う携帯端末と、ＬＴＥ（Ｌｏｎｇ  Ｔｅｒｍ  Ｅｖｏｌｕｔｉｏｎ）網に配置されたコントロールノードと、ＩＭＳ（ＩＰ  Ｍｕｌｔｉｍｅｄｉａ  Ｓｕｂｓｙｓｔｅｍ）−フェムトセルエリアを通信エリアとするフェムトセル用基地局と、前記コントロールノードと前記フェムトセル用基地局とに接続されたゲートウェイ装置とを有する通信システムにおける通信方法であって、
前記ゲートウェイ装置が、音声通話中または呼び出し中の前記携帯端末が前記ＬＴＥ網の通信エリアから前記ＩＭＳ−フェムトセルエリアへ移動した際、該携帯端末の呼処理を、前記コントロールノードから前記フェムトセル用基地局へ引き継がせる処理と、
前記フェムトセル用基地局が、前記ゲートウェイ装置から、前記携帯端末の呼処理を、前記コントロールノードから引き継ぐ要求を受けた場合、ＶｏＬＴＥ（Ｖｏｉｃｅ  ｏｖｅｒ  ＬＴＥ）の機能を有する所定のサーバに対して呼の設定要求を行うためのメッセージを送信する処理とを行う通信方法。
【請求項９】
音声通話中または呼び出し中の携帯端末が、ＬＴＥ（Ｌｏｎｇ  Ｔｅｒｍ  Ｅｖｏｌｕｔｉｏｎ）網の通信エリアからＩＭＳ（ＩＰ  Ｍｕｌｔｉｍｅｄｉａ  Ｓｕｂｓｙｓｔｅｍ）−フェムトセルエリアへ移動した際、該携帯端末の呼処理を、前記ＬＴＥ網におけるアクセス網に配置されたコントロールノードから前記ＩＭＳ−フェムトセルエリアを通信エリアとするフェムトセル用基地局へ引き継がせる処理を行う通信方法。
【請求項１０】
ＬＴＥ（Ｌｏｎｇ  Ｔｅｒｍ  Ｅｖｏｌｕｔｉｏｎ）網に配置されたコントロールノードと、ＩＭＳ（ＩＰ  Ｍｕｌｔｉｍｅｄｉａ  Ｓｕｂｓｙｓｔｅｍ）−フェムトセルエリアを通信エリアとするフェムトセル用基地局とに接続されたゲートウェイ装置に、
音声通話中または呼び出し中の携帯端末が前記ＬＴＥ網の通信エリアから前記ＩＭＳ−フェムトセルエリアへ移動した際、該携帯端末の呼処理を、前記コントロールノードから前記フェムトセル用基地局へ引き継がせる手順を実行させるためのプログラム。
【発明の詳細な説明】
【技術分野】
【０００１】
本発明は、音声通信を行うゲートウェイ装置、フェムトセル用基地局、通信システム、通信方法およびプログラムに関する。
【背景技術】
【０００２】
近年、ＬＴＥ（Ｌｏｎｇ  Ｔｅｒｍ  Ｅｖｏｌｕｔｉｏｎ）が、携帯端末の新たな通信規格として、導入されてきている。このＬＴＥにおいては、既存の回線交換機能（音声通話機能）を持っていない。そこで、ＩＰ（Ｉｎｔｅｒｎｅｔ  Ｐｒｏｔｏｃｏｌ）パケット通信で音声を運ぶ技術であるＶｏＩＰ（Ｖｏｉｃｅ  ｏｖｅｒ  ＩＰ）と同様に、ＬＴＥ網上で音声通話を実現させる技術であるＶｏＬＴＥ（Ｖｏｉｃｅ  ｏｖｅｒ  ＬＴＥ）が考えられている。
【０００３】
このＶｏＬＴＥを導入したシステムにおいて、携帯端末がＬＴＥ網から３Ｇ（３ｒｄ  Ｇｅｎｅｒａｔｉｏｎ）網へ移動した際、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）という音声を引き継ぐ技術が標準化されている（例えば、非特許文献１参照。）。
【０００４】
また、最近では、通信エリアが、一般的な３Ｇ網における無線基地局よりも狭い３Ｇフェムトセル（フェムトエリア）である３Ｇフェムト基地局が考えられている。この３Ｇフェムト基地局は、一般的に半径数十メートル程度の範囲を通信エリアとし、オフィス等の室内に設置されている小型の無線基地局である。
【先行技術文献】
【非特許文献】
【０００５】
【非特許文献１】３ＧＰＰ  ＴＳ２３．２１６  Ｖ１１．９．０
【発明の概要】
【発明が解決しようとする課題】
【０００６】
上述したＳＲＶＣＣ機能は、ＬＴＥ網から３Ｇ網へ音声を引き継ぐ技術である。そのため、ＶｏＬＴＥ機能を用いて音声通話中または呼び出し中の携帯端末が、ＬＴＥ網から３Ｇフェムト網へ移動した際、その音声通話または呼び出しを引き継ぐことができないという問題点がある。
【０００７】
本発明の目的は、上述した課題を解決するゲートウェイ装置、フェムトセル用基地局、通信システム、通信方法およびプログラムを提供することである。
【課題を解決するための手段】
【０００８】
本発明のゲートウェイ装置は、
ＬＴＥ（Ｌｏｎｇ  Ｔｅｒｍ  Ｅｖｏｌｕｔｉｏｎ）網に配置されたコントロールノードと、ＩＭＳ（ＩＰ  Ｍｕｌｔｉｍｅｄｉａ  Ｓｕｂｓｙｓｔｅｍ）−フェムトセルエリアを通信エリアとするフェムトセル用基地局とに接続され、音声通話中または呼び出し中の携帯端末が前記ＬＴＥ網の通信エリアから前記ＩＭＳ−フェムトセルエリアへ移動した際、該携帯端末の呼処理を、前記コントロールノードから前記フェムトセル用基地局へ引き継がせる。
【０００９】
また、本発明のフェムトセル用基地局は、
ＩＭＳ−フェムトセルエリアを通信エリアとし、ゲートウェイ装置から、音声通話中または呼び出し中の携帯端末の呼処理を、ＬＴＥ（Ｌｏｎｇ  Ｔｅｒｍ  Ｅｖｏｌｕｔｉｏｎ）網に配置されたコントロールノードから引き継ぐ要求を受けた場合、ＶｏＬＴＥ（Ｖｏｉｃｅ  ｏｖｅｒ  ＬＴＥ）の機能を有する所定のサーバに対して呼の設定要求を行うためのメッセージを送信する。
【００１０】
また、本発明の通信システムは、
音声通話を行う携帯端末と、
ＬＴＥ（Ｌｏｎｇ  Ｔｅｒｍ  Ｅｖｏｌｕｔｉｏｎ）網に配置されたコントロールノードと、
ＩＭＳ（ＩＰ  Ｍｕｌｔｉｍｅｄｉａ  Ｓｕｂｓｙｓｔｅｍ）−フェムトセルエリアを通信エリアとするフェムトセル用基地局と、
前記コントロールノードと、前記フェムトセル用基地局とに接続され、音声通話中または呼び出し中の前記携帯端末が前記ＬＴＥ網の通信エリアから前記ＩＭＳ−フェムトセルエリアへ移動した際、該携帯端末の呼処理を、前記コントロールノードから前記フェムトセル用基地局へ引き継がせるゲートウェイ装置とを有し、
前記フェムトセル用基地局は、前記ゲートウェイ装置から、前記携帯端末の呼処理を、前記コントロールノードから引き継ぐ要求を受けた場合、ＶｏＬＴＥ（Ｖｏｉｃｅ  ｏｖｅｒ  ＬＴＥ）の機能を有する所定のサーバに対して呼の設定要求を行うためのメッセージを送信する。
【００１１】
また、本発明の通信方法は、
音声通話を行う携帯端末と、ＬＴＥ（Ｌｏｎｇ  Ｔｅｒｍ  Ｅｖｏｌｕｔｉｏｎ）網に配置されたコントロールノードと、ＩＭＳ（ＩＰ  Ｍｕｌｔｉｍｅｄｉａ  Ｓｕｂｓｙｓｔｅｍ）−フェムトセルエリアを通信エリアとするフェムトセル用基地局と、前記コントロールノードと前記フェムトセル用基地局とに接続されたゲートウェイ装置とを有する通信システムにおける通信方法であって、
前記ゲートウェイ装置が、音声通話中または呼び出し中の前記携帯端末が前記ＬＴＥ網の通信エリアから前記ＩＭＳ−フェムトセルエリアへ移動した際、該携帯端末の呼処理を、前記コントロールノードから前記フェムトセル用基地局へ引き継がせる処理と、
前記フェムトセル用基地局が、前記ゲートウェイ装置から、前記携帯端末の呼処理を、前記コントロールノードから引き継ぐ要求を受けた場合、ＶｏＬＴＥ（Ｖｏｉｃｅ  ｏｖｅｒ  ＬＴＥ）の機能を有する所定のサーバに対して呼の設定要求を行うためのメッセージを送信する処理とを行う。
【００１２】
また、本発明の他の通信方法は、
音声通話中または呼び出し中の携帯端末が、ＬＴＥ（Ｌｏｎｇ  Ｔｅｒｍ  Ｅｖｏｌｕｔｉｏｎ）網の通信エリアからＩＭＳ（ＩＰ  Ｍｕｌｔｉｍｅｄｉａ  Ｓｕｂｓｙｓｔｅｍ）−フェムトセルエリアへ移動した際、該携帯端末の呼処理を、前記ＬＴＥ網におけるアクセス網に配置されたコントロールノードから前記ＩＭＳ−フェムトセルエリアを通信エリアとするフェムトセル用基地局へ引き継がせる処理を行う。
【００１３】
また、本発明のプログラムは、
ＬＴＥ（Ｌｏｎｇ  Ｔｅｒｍ  Ｅｖｏｌｕｔｉｏｎ）網に配置されたコントロールノードと、ＩＭＳ（ＩＰ  Ｍｕｌｔｉｍｅｄｉａ  Ｓｕｂｓｙｓｔｅｍ）−フェムトセルエリアを通信エリアとするフェムトセル用基地局とに接続されたゲートウェイ装置に実行させるためのプログラムであって、
音声通話中または呼び出し中の携帯端末が前記ＬＴＥ網の通信エリアから前記ＩＭＳ−フェムトセルエリアへ移動した際、該携帯端末の呼処理を、前記コントロールノードから前記フェムトセル用基地局へ引き継がせる手順を実行させる。
【発明の効果】
【００１４】
以上説明したように、本発明においては、ＶｏＬＴＥ機能を用いて音声通話中または呼び出し中の携帯端末が、ＬＴＥ網から３Ｇフェムト網へ移動した際、その音声通話または呼び出しを引き継ぐことができる。
【図面の簡単な説明】
【００１５】
【図１】本発明のゲートウェイ装置が設けられた通信システムの第１の実施の形態を示す図である。
【図２】図１に示したＧＷにおける通信方法のうち、音声通話中または呼び出し中の携帯端末が、ＬＴＥ網の通信エリアからＩＭＳ−フェムトセルエリアへ移動した際の処理を説明するためのフローチャートである。
【図３】本発明のゲートウェイ装置が設けられた通信システムの第２の実施の形態を示す図である。
【図４】図３に示したＧＷの内部構造の一例を示す図である。
【図５】図３に示した通信システムにおける通信方法を説明するためのシーケンス図である。
【図６】図３に示したＵＥがＬＴＥエリアからＩＭＳ−フェムトセルエリアへ移動した際の一般音声呼の流れの一例を説明するための図である。
【図７】図３に示したＵＥがＬＴＥエリアからＩＭＳ−フェムトセルエリアへ移動した際の緊急呼の流れの一例を説明するための図である。
【図８Ａ】図６および図７に示した通信ネットワーク構成における通信方法のうち、ＵＥが音声発信した通話中に、ＵＥがＬＴＥエリアからＩＭＳ−フェムトエリアへ移動したときの処理を説明するためのシーケンス図である。
【図８Ｂ】図６および図７に示した通信ネットワーク構成における通信方法のうち、ＵＥが音声発信した通話中に、ＵＥがＬＴＥエリアからＩＭＳ−フェムトエリアへ移動したときの処理を説明するためのシーケンス図である。
【図８Ｃ】図６および図７に示した通信ネットワーク構成における通信方法のうち、ＵＥが音声発信した通話中に、ＵＥがＬＴＥエリアからＩＭＳ−フェムトエリアへ移動したときの処理を説明するためのシーケンス図である。
【図９Ａ】図６および図７に示した通信ネットワーク構成における通信方法のうち、ＵＥに音声着信した通話中に、ＵＥがＬＴＥエリアからＩＭＳ−フェムトエリアへ移動したときの処理を説明するためのシーケンス図である。
【図９Ｂ】図６および図７に示した通信ネットワーク構成における通信方法のうち、ＵＥに音声着信した通話中に、ＵＥがＬＴＥエリアからＩＭＳ−フェムトエリアへ移動したときの処理を説明するためのシーケンス図である。
【図９Ｃ】図６および図７に示した通信ネットワーク構成における通信方法のうち、ＵＥに音声着信した通話中に、ＵＥがＬＴＥエリアからＩＭＳ−フェムトエリアへ移動したときの処理を説明するためのシーケンス図である。
【図１０Ａ】図６および図７に示した通信ネットワーク構成における通信方法のうち、ＵＥが音声発信した呼び出し中に、ＵＥがＬＴＥエリアからＩＭＳ−フェムトエリアへ移動したときの処理を説明するためのシーケンス図である。
【図１０Ｂ】図６および図７に示した通信ネットワーク構成における通信方法のうち、ＵＥが音声発信した呼び出し中に、ＵＥがＬＴＥエリアからＩＭＳ−フェムトエリアへ移動したときの処理を説明するためのシーケンス図である。
【図１０Ｃ】図６および図７に示した通信ネットワーク構成における通信方法のうち、ＵＥが音声発信した呼び出し中に、ＵＥがＬＴＥエリアからＩＭＳ−フェムトエリアへ移動したときの処理を説明するためのシーケンス図である。
【図１１Ａ】図６および図７に示した通信ネットワーク構成における通信方法のうち、ＵＥに音声着信した呼び出し中に、ＵＥがＬＴＥエリアからＩＭＳ−フェムトエリアへ移動したときの処理を説明するためのシーケンス図である。
【図１１Ｂ】図６および図７に示した通信ネットワーク構成における通信方法のうち、ＵＥに音声着信した呼び出し中に、ＵＥがＬＴＥエリアからＩＭＳ−フェムトエリアへ移動したときの処理を説明するためのシーケンス図である。
【図１１Ｃ】図６および図７に示した通信ネットワーク構成における通信方法のうち、ＵＥに音声着信した呼び出し中に、ＵＥがＬＴＥエリアからＩＭＳ−フェムトエリアへ移動したときの処理を説明するためのシーケンス図である。
【発明を実施するための形態】
【００１６】
以下に、本発明の実施の形態について図面を参照して説明する。
（第１の実施の形態）
図１は、本発明のゲートウェイ装置が設けられた通信システムの第１の実施の形態を示す図である。
【００１７】
本形態における通信システムには図１に示すように、ＧＷ１００と、ＭＭＥ２００と、ＦＡＰ３００とが設けられている。
【００１８】
ＧＷ１００は、ＭＭＥ２００とＦＡＰ３００とに接続されたゲートウェイ装置である。また、ＧＷ１００は、音声通話中または呼び出し中の携帯端末が、ＭＭＥ２００が設けられているＬＴＥ網の通信エリアからＦＡＰ３００の通信エリアであるＩＭＳ（ＩＰ  Ｍｕｌｔｉｍｅｄｉａ  Ｓｕｂｓｙｓｔｅｍ）−フェムトセルエリアへ移動した際、その携帯端末の呼処理を、ＭＭＥ２００からＦＡＰ３００へ引き継がせる。なお、携帯端末がＬＴＥ網の通信エリアで音声通話中または呼び出し中であることは、当該携帯端末がＶｏＬＴＥ機能を用いて音声通話中または呼び出し中であるということである。
【００１９】
ＭＭＥ２００は、ＬＴＥ網に配置されたコントロールノードであり、一般的にはＭＭＥ（Ｍｏｂｉｌｉｔｙ  Ｍａｎａｇｅｍｅｎｔ  Ｅｎｔｉｔｙ）と呼ばれるものである。また、ＭＭＥ２００は、ＬＴＥ網の中のアクセス網に配置されている。ＭＭＥ２００は、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）におけるＳＧＳＮ（Ｓｅｒｖｉｎｇ  ＧＰＲＳ  Ｓｕｐｐｏｒｔ  Ｎｏｄｅ）のユーザ制御機能であるＣ−Ｐｌａｎｅ（Ｃｏｎｔｒｏｌ−Ｐｌａｎｅ）を独立させたものである。また、ＭＭＥ２００は、ＬＴＥ網に配置された無線基地局であるｅｖｏｌｖｅｄ  ＮｏｄｅＢおよび後述するＳ−ＧＷとの間で制御信号の送受信を行う。また、ＭＭＥ２００は、利用者の情報が格納されているサーバ（ＨＳＳ：Ｈｏｍｅ  Ｓｕｂｓｃｒｉｂｅｒ  Ｓｅｒｖｅｒ）とのインタフェースを持ち、在圏利用者の管理を行う。また、ＭＭＥ２００は、ＳＧＳＮと同様、在圏網の設備を利用する。
【００２０】
ＦＡＰ３００は、ＩＭＳ−フェムトセルエリアを通信エリアとするフェムトセル用基地局であり、一般的にはＦＡＰ（Ｆｅｍｔｏ  Ａｃｃｅｓｓ  Ｐｏｉｎｔ）と呼ばれるものである。また、ＦＡＰ３００は、ＧＷ１００から、携帯端末の呼処理を、ＭＭＥ２００から引き継ぐ要求を受けた場合、ＶｏＬＴＥの機能を有する所定のサーバに対して呼の設定要求を行うためのメッセージを送信する。このメッセージは、ＳＩＰ（Ｓｅｓｓｉｏｎ  Ｉｎｉｔｉａｔｉｏｎ  Ｐｒｏｔｏｃｏｌ）のプロトコルを用いたものである。
【００２１】
以下に、図１に示したＧＷ１００における通信方法について説明する。ここでは、ＧＷ１００における通信方法のうち、音声通話中または呼び出し中の携帯端末が、ＬＴＥ網の通信エリアからＩＭＳ−フェムトセルエリアへ移動した際の処理について説明する。
【００２２】
図２は、図１に示したＧＷ１００における通信方法のうち、音声通話中または呼び出し中の携帯端末が、ＬＴＥ網の通信エリアからＩＭＳ−フェムトセルエリアへ移動した際の処理を説明するためのフローチャートである。
【００２３】
音声通話中または呼び出し中の携帯端末が、ＬＴＥ網の通信エリアからＩＭＳ−フェムトセルエリアへ移動したことをＧＷ１００が認識すると（ステップＳ１）、ＧＷ１００は、その携帯端末の呼処理を、ＭＭＥ２００からＦＡＰ３００へ引き継がせる（ステップＳ２）。詳細な処理については、第２の実施の形態に記載する。
【００２４】
このように、ＭＭＥ２００とＦＡＰ３００との間に、ＳＲＶＣＣ機能を持ったＧＷ１００を設けることで、ＶｏＬＴＥ機能を用いて音声通話中または呼び出し中の携帯端末が、ＬＴＥ網から３Ｇフェムト網へ移動した際、その音声通話または呼び出しを引き継ぐことができる。
（第２の実施の形態）
図３は、本発明のゲートウェイ装置が設けられた通信システムの第２の実施の形態を示す図である。
【００２５】
本形態における通信システムには図３に示すように、ＧＷ１００と、ＭＭＥ２００と、ｅＮＢ２１０と、ＤＮＳ２３０と、ＦＡＰ３００と、ＩＭＳ４００とが設けられている。また、ＭＭＥ２００およびＦＡＰ３００が、ＩＭＳ４００と接続されている。
【００２６】
ＧＷ１００、ＭＭＥ２００およびＦＡＰ３００は、第１の実施の形態におけるものと同じものである。なお、ＦＡＰ３００の通信エリアは、ＩＭＳ−フェムトセルエリア３１０である。
【００２７】
ｅＮＢ２１０は、ＬＴＥエリア２２０を通信エリアとする無線基地局（ｅｖｏｌｖｅｄ  ＮｏｄｅＢ）である。また、ｅＮＢ２１０は、ＭＭＥ２００と接続し、ＭＭＥ２００から制御される。
【００２８】
ＤＮＳ２３０は、一般的にＤｏｍａｉｎ  Ｎａｍｅ  Ｓｙｓｔｅｍと呼ばれるものであり、ＤＮＳサーバにて管理されているアドレス検索を行う。ＭＭＥ２００からの要求に基づいて、ＧＷ１００のアドレス解決を行う。
【００２９】
ＩＭＳ４００は、ＩＰ  Ｍｕｌｔｉｍｅｄｉａ  Ｓｕｂｓｙｓｔｅｍの通信ネットワークであり、特に、ＶｏＬＴＥ機能を有するＶｏＬＴＥ  ＩＭＳである。
【００３０】
ＵＥ５００は、利用者が所持し、移動可能な携帯端末（Ｕｓｅｒ  Ｅｑｕｉｐｍｅｎｔ）である。
【００３１】
図４は、図３に示したＧＷ１００の内部構造の一例を示す図である。
【００３２】
図３に示したＧＷ１００には図４に示すように、ＭＭＥインタフェース部１１０と、ＦＡＰインタフェース部１２０と、引継処理部１３０と、ＦＡＰデータ管理部１４０とが設けられている。なお、図４には、図３に示したＧＷ１００に設けられた構成要素のうち、本実施の形態に関わる主要な構成要素の一例を示す。
【００３３】
ＭＭＥインタフェース部１１０は、ＭＭＥ２００との間のインタフェース機能を持つ。ＭＭＥインタフェース部１１０とＭＭＥ２００との間で使用されるプロトコルは、３ＧＰＰ（３ｒｄ  Ｇｅｎｅｒａｔｉｏｎ  Ｐａｒｔｎｅｒｓｈｉｐ  Ｐｒｏｊｅｃｔ）標準のＧＴＰ（Ｇｅｎｅｒａｌ  Ｐａｃｋｅｔ  Ｒａｄｉｏ  Ｓｙｓｔｅｍ  Ｔｕｎｎｅｌｉｎｇ  Ｐｒｏｔｏｃｏｌ）のプロトコルである。
【００３４】
ＦＡＰインタフェース部１２０は、ＦＡＰ３００との間のインタフェース機能を持つ。
【００３５】
引継処理部１３０は、ＭＭＥインタフェース部１１０が、ＭＭＥ２００からＳＲＶＣＣの要求を受けた場合、ＵＥ５００の呼処理の引継ぎ（ＳＲＶＣＣ）を要求する要求信号の送信先の検索をＦＡＰデータ管理部１４０へ要求する。ＭＭＥ２００からのＳＲＶＣＣの要求には、所定の信号が用いられる。また、引継処理部１３０は、ＦＡＰデータ管理部１４０から通知された検索結果に基づいて、つまり、検索結果に示された送信先のフェムトセル用基地局へ、ＳＲＶＣＣ機能を用いて要求信号を、ＦＡＰインタフェース部１２０を介して送信する。また、引継処理部１３０は、要求信号をＦＡＰ３００へ送信した後、ＦＡＰ３００からその要求信号に対応する応答信号（第１の応答信号）が送信されてきた場合、ＭＭＥインタフェース部１１０が受信した所定の信号に対応する応答信号（第２の応答信号）を、ＭＭＥインタフェース部１１０を介してＭＭＥ２００へ送信する。
【００３６】
ＦＡＰデータ管理部１４０は、ＦＡＰ３００を含むフェムトセル用基地局を管理する。ＦＡＰデータ管理部１４０は、自身でフェムトセル用基地局の情報を格納するデータベースを持つものであっても良いし、外部に設けられたデータベースに記憶されているフェムトセル用基地局の情報を管理するものであっても良い。また、ＦＡＰデータ管理部１４０は、引継処理部１３０から要求信号の送信先の検索を要求された場合、管理しているフェムトセル用基地局の中から要求信号の送信先を検索する。また、ＦＡＰデータ管理部１４０は、検索の結果を引継処理部１３０へ通知する。
【００３７】
以下に、図３に示した形態における通信方法について説明する。
【００３８】
図５は、図３に示した通信システムにおける通信方法を説明するためのシーケンス図である。
【００３９】
まず、音声通話中または呼び出し中のＵＥ５００がＬＴＥエリア２２０からＩＭＳ−フェムトセルエリア３１０へ移動することで、ＵＥ５００からハンドオーバの要求があると、ｅＮＢ２１０がＭＭＥ２００へＵＥ５００のハンドオーバの処理を要求する（ステップＳ１１）。このとき、ＵＥ５００は、音声通話や呼び出しにおいて、発信側であっても着信側であっても良い。
【００４０】
すると、ＭＭＥ２００は、ＤＮＳ２３０へＧＷ１００のアドレス検索を要求し、ＤＮＳ２３０からＧＷ１００のＩＰアドレスを取得する（ステップＳ１２）。ＧＷ１００のＩＰアドレスを取得したＭＭＥ２００は、ＧＴＰのプロトコルを用いてＧＷ１００へＳＲＶＣＣの要求を行う（ステップＳ１３）。上述したように、この要求には、所定の信号が用いられる。
【００４１】
引継処理部１３０は、ＭＭＥインタフェース部１１０が、ＭＭＥ２００からＳＲＶＣＣの要求を受けた場合、ＵＥ５００の呼処理の引継ぎ（ＳＲＶＣＣ）を要求する要求信号の送信先の検索をＦＡＰデータ管理部１４０へ要求する。ＦＡＰデータ管理部１４０は、引継処理部１３０から要求信号の送信先の検索を要求された場合、管理しているフェムトセル用基地局の中から要求信号の送信先となるフェムトセル用基地局を検索する（ステップＳ１４）。また、ＦＡＰデータ管理部１４０は、検索の結果を引継処理部１３０へ通知する。引継処理部１３０は、ＦＡＰデータ管理部１４０から通知された検索結果に示された送信先のＦＡＰ３００へ、ＦＡＰインタフェース部１２０を介してＳＲＶＣＣ要求を行う（ステップＳ１５）。
【００４２】
続いて、ＦＡＰ３００は、ＩＭＳ４００に対してＵＥ５００の呼設定要求を行う（ステップＳ１６）。この要求には、所定のＳＩＰメッセージの送信が用いられる。
【００４３】
また、ＦＡＰ３００は、ステップＳ１５の要求に対応する応答（ＳＲＶＣＣ応答）をＧＷ１００に対して行う（ステップＳ１７）。ＦＡＰ３００から行われた応答をＦＡＰインタフェース部１２０が受信すると、引継処理部１３０がＭＭＥインタフェース部１１０を介してＭＭＥ２００へステップＳ１３の要求に対応する応答（ＳＲＶＣＣ応答）を行う（ステップＳ１８）。続いて、ＭＭＥ２００がｅＮＢ２１０へステップＳ１１のハンドオーバの要求に対応する応答を行う（ステップＳ１９）。ここで、ステップＳ１７〜Ｓ１９の応答は、送信側と受信側とで、それぞれの応答がなされたことを認識できる所定の信号が送受信されることで実現される。
【００４４】
以下に、信号の流れについてさらに詳細に説明する。一般音声呼と緊急呼とに分けて説明する。
【００４５】
図６は、図３に示したＵＥ５００がＬＴＥエリア２２０からＩＭＳ−フェムトセルエリア３１０へ移動した際の一般音声呼の流れの一例を説明するための図である。
【００４６】
図６に示した通信ネットワーク構成において、ＧＷ１００、ＭＭＥ２００、ｅＮＢ２１０、ＬＴＥエリア２２０、ＦＡＰ３００、ＩＭＳ−フェムトセルエリア３１０、ＩＭＳ４００およびＵＥ５００については、図３に示したものと同じである。
【００４７】
ＳＰＧＷ２４０は、Ｓ−ＧＷ（Ｓｅｒｎｉｎｇ  Ｇａｔｅ  Ｗａｙ）とＰ−ＧＷ（Ｐａｃｋｅｔ  Ｄａｔａ  Ｎｅｔｗｏｒｋ  Ｇａｔｅ  Ｗａｙ）とを一括りとして示したものである。Ｓ−ＧＷは、ＵＥ５００との間で授受するＩＰパケットのルーティングの基点として、パケットの中継等を行うノードである。Ｐ−ＧＷは、ＵＥ５００のＩＰアドレスの管理、外部の通信ネットワークとやり取りされるＩＰパケットの中継等を行うノードである。
【００４８】
ＧＭＳＣ６００は、Ｇａｔｅｗａｙ  Ｍｏｂｉｌｅ−ｓｅｒｖｉｃｅｓ  Ｓｗｉｔｃｈｉｎｇ  Ｃｅｎｔｅｒである。また、ＨＬＲ／ＨＳＳ６１０は、Ｈｏｍｅ  Ｌｏｃａｔｉｏｎ  Ｒｅｇｉｓｔｅｒ／Ｈｏｍｅ  Ｓｕｂｓｃｒｉｂｅｒ  Ｓｅｒｖｅｒである。ＧＭＳＣ６００およびＨＬＲ／ＨＳＳ６１０は、既存のものと同じものである。
【００４９】
また、ＩＭＳ４００には、Ｐ−ＣＳＣＦ４１０と、ＡＴＣＦ４２０と、ＡＴＧＷ４３０と、ＡＳ４４０と、Ｓ−ＣＳＣＦ４５０と、ＭＧＣＦ４６０と、ＭＧＷ４７０とが設けられている。
【００５０】
Ｐ−ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）４１０は、ＳＩＰ登録サーバとして、所定のサーバからダウンロードした加入者情報や利用者の現在位置情報を保持し、ＳＩＰのプロトコルを制御するＳＩＰプロキシサーバである。
【００５１】
ＡＴＣＦ４２０は、Ｃ−ＰｌａｎｅであるＳＩＰ信号を在圏ネットワーク側でアンカーする機能を持つＡｃｃｅｓｓ  Ｔｒａｎｓｆｅｒ  Ｃｏｎｔｒｏｌ  Ｆｕｎｃｔｉｏｎである。
【００５２】
ＡＴＧＷ４３０は、Ｕ−Ｐｌａｎｅ（Ｕｓｅｒ−Ｐｌａｎｅ）である音声メディア信号を在圏ネットワーク側でアンカーする機能を持つＡｃｃｅｓｓ  Ｔｒａｎｓｆｅｒ  Ｇａｔｅ  Ｗａｙである。
【００５３】
ＡＳ４４０は、サービス群をホスティングし実行するＡｐｐｌｉｃａｔｉｏｎ  Ｓｅｒｖｅｒである。ＡＳ４４０は、Ｓ−ＣＳＣＦ４５０とのインタフェースにＳＩＰを使う。
【００５４】
Ｓ−ＣＳＣＦ（Ｓｅｒｖｉｎｇ  Ｃａｌｌ  Ｓｅｓｓｉｏｎ  Ｃｏｎｔｒｏｌ  Ｆｕｎｃｔｉｏｎ）４５０は、ＳＩＰ登録サーバとして、所定のサーバからダウンロードした加入者情報や利用者の現在位置情報を保持し、セッション制御を実行するＳＩＰサーバである。
【００５５】
ＭＧＣＦ（Ｍｅｄｉａ  Ｇａｔｅｗａｙ  Ｃｏｎｔｒｏｌ  Ｆｕｎｃｔｉｏｎ）４６０は、ＳＩＰとＩＳＵＰ（ＩＳＤＮ  Ｕｓｅｒ  Ｐａｒｔ）との間の呼制御プロトコルの変換を行い、Ｓ−ＣＳＣＦ４５０と上位装置であるＧＭＳＣ６００とを接続するゲートウェイ装置である。
【００５６】
ＭＧＷ４７０は、Ｕ−Ｐｌａｎｅである音声メディア信号とのインタフェース機能を有し、ＲＴＰ（Ｒｅａｌ  Ｔｉｍｅ  Ｔｒａｎｓｐｏｒｔ  Ｐｒｏｔｏｃｏｌ）とＰＣＭ（Ｐｕｌｓｅ  Ｃｏｄｅ  Ｍｏｄｕｌａｔｉｏｎ）との間の変換を行うＭｅｄｉａ  Ｇａｔｅ  Ｗａｙである。
【００５７】
また、ＩＭＳ−Ｆｅｍｔｏ３４０のネットワークのコア内に、ＧＷ１００と、ＦＡＰ３００と、Ｐ−ＣＳＣＦ３２０と、Ｓ−ＣＳＣＦ３３０とが設けられている。
【００５８】
ＧＷ１００は、ＭＭＥ２００とＦＡＰ３００とに接続されている。また、ＧＷ１００は、ＭＭＥ２００との間のＳｖ点を終端し、ＦＡＰ３００へＳＲＶＣＣの要求を行う。このＳｖ点は、ＳＲＶＣＣ機能でＲｅｆｅｒｅｎｃｅ  Ｐｏｉｎｔとして定義されているインタフェースである。
【００５９】
ＦＡＰ３００は、ＡＴＣＦ４２０との間で、ＳＩＰのＩ２インタフェースを持つ。また、ＦＡＰ３００は、ＡＴＧＷ４３０との間で、Ｕ−Ｐｌａｎｅを接続する。
【００６０】
Ｐ−ＣＳＣＦ３２０は、ＩＭＳ−Ｆｅｍｔｏ３４０内でＰ−ＣＳＣＦ４１０と同様の機能を果たす。
【００６１】
Ｓ−ＣＳＣＦ３３０は、ＩＭＳ−Ｆｅｍｔｏ３４０内でＳ−ＣＳＣＦ４５０と同様の機能を果たす。
【００６２】
図６に示した通信ネットワーク構成において、一般音声呼の通話中または呼び出し中のＵＥ５００がＬＴＥエリア２２０内に存在する場合、Ｕ−Ｐｌａｎｅの信号は、ＲＴＰのプロトコルを用いて、ＵＥ５００から、ｅＮＢ２１０、ＭＭＥ２００、ＳＰＧＷ２４０およびＡＴＧＷ４３０を介して、ＭＧＷ４７０へ送信される。また、ＭＧＷ４７０へ送信されたＵ−Ｐｌａｎｅの信号は、ＳＴＭ（Ｓｙｎｃｈｒｏｎｏｕｓ  Ｔｒａｎｓｆｅｒ  Ｍｏｄｅ）の転送モードを用いて、ＧＭＳＣ６００へ転送され、さらにＧＭＳＣ６００から他の通信ネットワークへ転送される。
【００６３】
一方、Ｃ−Ｐｌａｎｅの信号については、ＳＩＰのプロトコルを用いて、ｅＮＢ２１０、ＭＭＥ２００、ＳＰＧＷ２４０、Ｐ−ＣＳＣＦ４１０、ＡＴＣＦ４２０、Ｓ−ＣＳＣＦ４５０およびＡＳ４４０を介してＭＧＣＦ４６０との間でやり取りが行われる。さらに、ＭＧＣＦ４６０とＧＭＳＣ６００との間、およびＧＭＳＣ６００と他のネットワークとの間では、ＩＳＵＰの信号方式を用いてやり取りが行われている。
【００６４】
一般音声呼の通話中または呼び出し中のＵＥ５００がＬＴＥエリア２２０からＩＭＳ−フェムトセルエリア３１０へ移動することで、ＭＭＥ２００からＧＷ１００へＳＲＶＣＣ要求が行われると、ＧＷ１００からＦＡＰ３００へＳＲＶＣＣ要求が行われる。すると、ＦＡＰ３００からＡＴＣＦ４２０に対してＩＮＶＩＴＥ接続が行われる。その後、ＦＡＰ３００とＡＴＧＷ４３０との間で、ＲＴＰのプロトコルを用いてＵ−Ｐｌａｎｅの信号が送受信される。
【００６５】
図７は、図３に示したＵＥ５００がＬＴＥエリア２２０からＩＭＳ−フェムトセルエリア３１０へ移動した際の緊急呼の流れの一例を説明するための図である。
【００６６】
図７では、図６に示した通信ネットワーク構成におけるＡＳ４４０が図示されず、Ｅ−ＣＳＣＦ４８０およびＥＡＴＦ４９０が図示されている。
【００６７】
Ｅ−ＣＳＣＦ（Ｅｍａｒｇｅｎｃｙ−Ｃａｌｌ  Ｓｅｓｓｉｏｎ  Ｃｏｎｔｒｏｌ  Ｆｕｎｃｔｉｏｎ）４８０は、Ｐ−ＣＳＣＦ４１０が送信する緊急呼の要求を受信するノードである。
【００６８】
ＥＡＴＦ（Ｅｍａｒｇｅｎｃｙ  Ａｃｃｅｓｓ  Ｔｒａｎｓｆｅｒ  Ｆｕｎｃｔｉｏｎ）４９０は、Ｅ−ＣＳＣＦ４８０からのセッションを他の通信ネットワークへ転送するノードである。
【００６９】
その他の構成要素は、図６に示したものと同じである。
【００７０】
図７に示した通信ネットワーク構成において、緊急呼の通話中または呼び出し中のＵＥ５００がＬＴＥエリア２２０内に存在する場合、Ｕ−Ｐｌａｎｅの信号は、ＲＴＰのプロトコルを用いて、ＵＥ５００から、ｅＮＢ２１０、ＭＭＥ２００およびＳＰＧＷ２４０を介して、ＭＧＷ４７０へ送信される。また、ＭＧＷ４７０へ送信されたＵ−Ｐｌａｎｅの信号は、ＳＴＭの転送モードを用いて、ＧＭＳＣ６００へ転送され、さらにＧＭＳＣ６００から他の通信ネットワークへ転送される。
【００７１】
一方、Ｃ−Ｐｌａｎｅの信号については、ＳＩＰのプロトコルを用いて、ｅＮＢ２１０、ＭＭＥ２００、ＳＰＧＷ２４０、Ｐ−ＣＳＣＦ４１０、Ｅ−ＣＳＣＦ４８０およびＥＡＴＦ４９０を介してＭＧＣＦ４６０との間でやり取りが行われる。さらに、ＭＧＣＦ４６０とＧＭＳＣ６００との間、およびＧＭＳＣ６００と他のネットワークとの間では、ＩＳＵＰの信号方式を用いてやり取りが行われている。
【００７２】
緊急呼の通話中または呼び出し中のＵＥ５００がＬＴＥエリア２２０からＩＭＳ−フェムトセルエリア３１０へ移動することで、ＭＭＥ２００からＧＷ１００へＳＲＶＣＣ要求が行われると、ＧＷ１００からＦＡＰ３００へＳＲＶＣＣ要求が行われる。すると、ＦＡＰ３００からＥＡＴＦ４９０に対してＩＮＶＩＴＥ接続が行われる。その後、ＦＡＰ３００とＭＧＷ４７０との間で、ＲＴＰのプロトコルを用いてＵ−Ｐｌａｎｅの信号が送受信される。
【００７３】
以下に、図６および図７に示した通信ネットワーク構成における通信方法について説明する。
【００７４】
図８Ａ〜８Ｃは、図６および図７に示した通信ネットワーク構成における通信方法のうち、ＵＥ５００が音声発信した通話中に、ＵＥ５００がＬＴＥエリア２２０からＩＭＳ−フェムトセルエリア３１０へ移動したときの処理を説明するためのシーケンス図である。図８Ａ〜８Ｃにおいて、ＵＥは図６および図７に示したＵＥ５００を指す。また、ＦＡＰは図６および図７に示したＦＡＰ３００を指す。また、ＦｅｍｔｏＰＳコア／ＡＡＡは、図６および図７に示したＩＭＳ−Ｆｅｍｔｏ３４０内に設けられた、加入者の位置情報を登録し、その加入者を認証するノードである。また、Ｐ−ＣＳＣＦは、図６および図７に示したＰ−ＣＳＣＦ３２０を指す。また、Ｓ−ＣＳＣＦは、図６および図７に示したＳ−ＣＳＣＦ３３０を指す。また、ＨＳＳ（ＶＬＲ）は、図６および図７に示したＩＭＳ−Ｆｅｍｔｏ３４０内に設けられた、加入者情報を格納するサーバである。また、ＧＷは、図６および図７に示したＧＷ１００を指す。また、ＭＭＥは、図６および図７に示したＭＭＥ２００を指す。また、ＶｏＬＴＥ  ＩＭＳは、図６および図７に示したＩＭＳ４００を指す。また、ＨＬＲ／ＨＳＳは、図６および図７に示したＨＬＲ／ＨＳＳ６１０を指す。また、ＧＭＳＣは、図６および図７に示したＧＭＳＣ６００を指す。図９Ａ〜９Ｃ、図１０Ａ〜１０Ｃおよび図１１Ａ〜１１Ｃにおいても、同様である。
【００７５】
ＵＥ５００が、音声発信を行い、通話中である場合に、ＬＴＥエリア２２０からＩＭＳ−フェムトセルエリア３１０へ移動すると、ＵＥ５００がｅＮＢ２１０を介してＭＭＥ２００へハンドオーバの処理を要求する（ステップＳ２１）。すると、ＭＭＥ２００は、ＧＷ１００へＳＲＶＣＣ  ｒｅｑを送信してＳＲＶＣＣの要求を行う（ステップＳ２２）。ＵＥ５００が行っている通話が一般音声呼である場合、ＳＲＶＣＣ  ｒｅｑにはＳＴＮ−ＳＲ（Ｓｅｓｓｉｏｎ  Ｔｒａｎｓｆｅｒ  Ｎｕｍｂｅｒ  ｆｏｒ  Ｓｉｎｇｌｅ  Ｒａｄｉｏ  Ｖｏｉｃｅ  Ｃａｌｌ  Ｃｏｎｔｉｎｕｉｔｙ）が含まれている。一般音声呼では、音声発信前のＶｏＬＴＥ  ＩＭＳ側での位置登録の際に、ＳＴＮ−ＳＲがＨＬＲ／ＨＳＳに保持されており、そのＳＴＮ−ＳＲがＳＲＶＣＣ  ｒｅｑに付与されてくる。また、ＵＥ５００が行っている通話が緊急呼である場合、ＳＲＶＣＣ  ｒｅｑにはＳＴＮ−ＳＲは含まれていない。
【００７６】
ＭＭＥ２００から送信されたＳＲＶＣＣ  ｒｅｑをＧＷ１００のＭＭＥインタフェース部１１０が受信すると、引継処理部１３０は、ＵＥ５００の呼処理の引継ぎ（ＳＲＶＣＣ）を要求する要求信号であるＳＲＶＣＣ  ｒｅｑの送信先の検索をＦＡＰデータ管理部１４０へ要求する。ＦＡＰデータ管理部１４０は、引継処理部１３０からＳＲＶＣＣ  ｒｅｑの送信先の検索を要求された場合、管理しているフェムトセル用基地局の中からＳＲＶＣＣ  ｒｅｑの送信先となるフェムトセル用基地局を検索する。続いて、ＦＡＰデータ管理部１４０は、検索の結果を引継処理部１３０へ通知する。引継処理部１３０は、ＦＡＰデータ管理部１４０から通知された検索結果に示された送信先のＦＡＰ３００へ、ＦＡＰインタフェース部１２０を介してＳＲＶＣＣ  ｒｅｑを送信する（ステップＳ２３）。ＵＥ５００が行っている通話が一般音声呼である場合、ＧＷ１００からＦＡＰ３００へ送信するＳＲＶＣＣ  ｒｅｑにもＳＴＮ−ＳＲが含まれている。
【００７７】
続いて、ＦＡＰ３００は、ＶｏＬＴＥ  ＩＭＳに対して、ＳＩＰのプロトコルを用いてＵＥ５００の呼設定要求を行う。まずは、ＦＡＰ３００は、ＩＮＶＩＴＥにＳＴＮ−ＳＲを含めて、ＶｏＬＴＥ  ＩＭＳのＡＴＣＦ４２０に対して当該ＩＮＶＩＴＥを送信する（ステップＳ２４）。このとき、ＵＥ５００が行っている通話が一般音声呼である場合、ＦＡＰ３００は、ＧＷ１００から送信されてきたＳＲＶＣＣ  ｒｅｑに含まれているＳＴＮ−ＳＲを参照することで、ＩＮＶＩＴＥの送信先となるＡＴＣＦ４２０を識別することができる。また、ＵＥ５００が行っている通話が緊急呼である場合は、ＧＷ１００から送信されてきたＳＲＶＣＣ  ｒｅｑにＳＴＮ−ＳＲが含まれていないため、ＦＡＰ３００は、Ｅ−ＳＴＮ−ＳＲをＩＮＶＩＴＥに含めて、ＶｏＬＴＥ  ＩＭＳのＥＡＴＦ４９０に対して当該ＩＮＶＩＴＥを送信する。このＥ−ＳＴＮ−ＳＲは、呼を生起する発信側でアサインする番号であるため、ＩＭＳ−Ｆｅｍｔｏ３４０にて付与される。ここでは、ＦＡＰ３００がＥ−ＳＴＮ−ＳＲを付与する。
【００７８】
ＩＮＶＩＴＥに対して、ＶｏＬＴＥ  ＩＭＳは、試行中であることを示す暫定応答１００  ＴｒｙｉｎｇをＦＡＰ３００へ送信する（ステップＳ２５）。また、ＶｏＬＴＥ  ＩＭＳは、セッションが進行したことを示す１８３  Ｓｅｓｓｉｏｎ  ＰｒｏｇｒｅｓｓをＦＡＰ３００へ送信する（ステップＳ２６）。すると、ＦＡＰ３００は、ステップＳ２５，Ｓ２６の暫定的なレスポンスに対する確認を要求するためのＰＲＡＣＫをＶｏＬＴＥ  ＩＭＳへ送信する（ステップＳ２７）。
【００７９】
その後、ＶｏＬＴＥ  ＩＭＳは、ステップＳ２７に対する応答である２００  ＯＫをＦＡＰ３００へ送信する（ステップＳ２８）。また、ＶｏＬＴＥ  ＩＭＳは、ステップＳ２４のＩＮＶＩＴＥに対する応答である２００  ＯＫをＦＡＰ３００へ送信する（ステップＳ２９）。すると、ＦＡＰ３００は、ＶｏＬＴＥ  ＩＭＳへＩＮＶＩＴＥメッセージの成功応答であるＡＣＫを送信する（ステップＳ３０）。
【００８０】
続いて、ＦＡＰ３００は、ＳＲＶＣＣ  Ｒｅｓｐを送信することで、ステップＳ２３の要求に対応する応答（ＳＲＶＣＣ応答）をＧＷ１００に対して行う（ステップＳ３１）。ＦＡＰ３００から送信されたＳＲＶＣＣ  ＲｅｓｐをＦＡＰインタフェース部１２０が受信すると、引継処理部１３０がＭＭＥインタフェース部１１０を介してＭＭＥ２００へＳＲＶＣＣ  Ｒｅｓｐを送信することで、ステップＳ２２の要求に対応する応答（ＳＲＶＣＣ応答）を行う（ステップＳ３２）。
【００８１】
続いて、ＭＭＥ２００がｅＮＢ２１０を介してＵＥ５００へステップＳ２１のハンドオーバの処理の要求に対応する応答を行う（ステップＳ３３）。すると、ＵＥ５００はＦＡＰ３００と接続する（ステップＳ３４）。
【００８２】
すると、ＦＡＰ３００は、ＳＲＶＣＣ機能を用いた音声引継が完了した旨を示すＳＲＶＣＣ  Ｃｏｍｐ  ＮｏｔｉｆｉｃａｔｉｏｎをＧＷ１００へ送信する（ステップＳ３５）。続いて、ＧＷ１００の引継処理部１３０は、ＳＲＶＣＣ  Ｃｏｍｐ  Ｎｏｔｉｆｉｃａｔｉｏｎを、ＭＭＥインタフェース部１１０を介してＭＭＥ２００へ送信する（ステップＳ３６）。ＳＲＶＣＣ  Ｃｏｍｐ  Ｎｏｔｉｆｉｃａｔｉｏｎを受信したＭＭＥ２００は、その応答であるＳＲＶＣＣ  Ｃｏｍｐ  ＡｃｋをＧＷ１００へ送信する（ステップＳ３７）。続いて、ＧＷ１００の引継処理部１３０は、ステップＳ３５の応答であるＳＲＶＣＣ  Ｃｏｍｐ  Ａｃｋを、ＦＡＰインタフェース部１２０を介してＦＡＰ３００へ送信する（ステップＳ３８）。
【００８３】
その後、ＵＥ５００、ＦＡＰ３００、ＰＳ／ＡＡＡ、ＨＳＳ（ＶＬＲ）、ＭＭＥ２００およびＨＬＲ／ＨＳＳの間で通常のＩｎｔｅｒ−ＲＡＴ（Ｒａｄｉｏ  Ａｃｃｅｓｓ  Ｔｅｃｈｎｏｌｏｇｙ）  ＲＡ（Ｒｏｕｔｉｎｇ  Ａｒｅａｓ）  Ｕｐｄａｔｅ手順が実行される（ステップＳ３９）。
【００８４】
続いて、ＶｏＬＴＥ  ＩＭＳがＵＥ５００へＢＹＥを送信し（ステップＳ４０）、ＵＥ５００は、その応答としてＶｏＬＴＥ  ＩＭＳへ２００  ＯＫを送信する（ステップＳ４１）。これにより、音声引継前の呼が切断される。
【００８５】
そして、ＵＥ５００は、ＭＭ（Ｍｏｂｉｌｉｔｙ  Ｍａｎａｇｅｍｅｎｔ）／ＣＣ（Ｃａｌｌ  Ｃｏｎｔｒｏｌ）を生起する（ステップＳ４２）。このＭＭは、ＵＥ５００の位置登録や認証等の移動管理を行う処理である。また、ＣＣは、呼設定や呼解放等の制御を行う処理である。このときのＴＩ（Ｔｒａｎｓａｃｔｉｏｎ  Ｉｄｅｎｔｉｆｉｃａｔｉｏｎ）の値は「１０００」である。また、同様にＦＡＰ３００は、ＭＭ／ＣＣを生起する（ステップＳ４３）。このときのＴＩの値は「００００」である。
【００８６】
すると、ＵＥ５００、ＦＡＰ３００、Ｐ−ＣＳＣＦ３２０、Ｓ−ＣＳＣＦ３３０、ＨＳＳ（ＶＬＲ）、ＨＬＲ／ＨＳＳ６１０の間で、ＵＥ５００の位置登録手順が実行される（ステップＳ４４）。このとき、ＵＥ５００の認証手順も実行される。そして、ＳＲＶＣＣ後の通話が行われる。
【００８７】
その後、ＵＥ５００が通話を終了すると（ステップＳ４５）、ＵＥ５００は、ＣＣの処理でリンク切断要求（ＤＩＳＣ）をＦＡＰ３００に対して行う（ステップＳ４６）。このときのＴＩの値は「１０００」である。すると、ＦＡＰ３００はＶｏＬＴＥ  ＩＭＳに対して、呼を切断するためにＢＹＥを送信する（ステップＳ４７）。ＶｏＬＴＥ  ＩＭＳはＧＭＳＣ６００に対して、呼の解放を要求するＲＥＬ（ＲＥＬＥＡＳＥ）を送信する（ステップＳ４８）。また、ＶｏＬＴＥ  ＩＭＳは、ステップＳ４７の応答として、２００  ＯＫをＦＡＰ３００へ送信する（ステップＳ４９）。また、ＧＭＳＣ６００は、呼の解放を完了させると、ＶｏＬＴＥ  ＩＭＳに対して、ＲＬＣ（Ｒｅｌｅａｓｅ  Ｃｏｍｐｌｅｔｅ）を送信する（ステップＳ５０）。このＲＥＬおよびＲＬＣは、ＩＳＵＰで定義されている信号である。以下の説明について、同様である。
【００８８】
ＶｏＬＴＥ  ＩＭＳから２００  ＯＫを受信したＦＡＰ３００は、ＣＣの処理でリンク解放（ＲＥＬ）をＵＥ５００に対して送信する（ステップＳ５１）。このときのＴＩの値は「００００」である。すると、ＵＥ５００は、ＲＥＬＣＯＭＰをＦＡＰ３００に対して送信する（ステップＳ５２）。このときのＴＩの値は「１０００」である。
【００８９】
図９Ａ〜９Ｃは、図６および図７に示した通信ネットワーク構成における通信方法のうち、ＵＥ５００に音声着信した通話中に、ＵＥ５００がＬＴＥエリア２２０からＩＭＳ−フェムトセルエリア３１０へ移動したときの処理を説明するためのシーケンス図である。
【００９０】
ＵＥ５００に音声着信があり、ＵＥ５００が通話中である場合に、ＵＥ５００がＬＴＥエリア２２０からＩＭＳ−フェムトセルエリア３１０へ移動すると、ＵＥ５００がｅＮＢ２１０を介してＭＭＥ２００へハンドオーバの処理を要求する（ステップＳ６１）。すると、ＭＭＥ２００は、ＧＷ１００へＳＲＶＣＣ  ｒｅｑを送信してＳＲＶＣＣの要求を行う（ステップＳ６２）。このＳＲＶＣＣ  ｒｅｑにはＳＴＮ−ＳＲが含まれている。一般音声呼では、音声発信前のＶｏＬＴＥ  ＩＭＳ側での位置登録の際に、ＳＴＮ−ＳＲがＨＬＲ／ＨＳＳに保持されており、そのＳＴＮ−ＳＲがＳＲＶＣＣ  ｒｅｑに付与されてくる。
【００９１】
ＭＭＥ２００から送信されたＳＲＶＣＣ  ｒｅｑをＧＷ１００のＭＭＥインタフェース部１１０が受信すると、引継処理部１３０は、ＵＥ５００の呼処理の引継ぎ（ＳＲＶＣＣ）を要求する要求信号であるＳＲＶＣＣ  ｒｅｑの送信先の検索をＦＡＰデータ管理部１４０へ要求する。ＦＡＰデータ管理部１４０は、引継処理部１３０からＳＲＶＣＣ  ｒｅｑの送信先の検索を要求された場合、管理しているフェムトセル用基地局の中からＳＲＶＣＣ  ｒｅｑの送信先となるフェムトセル用基地局を検索する。続いて、ＦＡＰデータ管理部１４０は、検索の結果を引継処理部１３０へ通知する。引継処理部１３０は、ＦＡＰデータ管理部１４０から通知された検索結果に示された送信先のＦＡＰ３００へ、ＦＡＰインタフェース部１２０を介してＳＲＶＣＣ  ｒｅｑを送信する（ステップＳ６３）。ＧＷ１００からＦＡＰ３００へ送信されるＳＲＶＣＣ  ｒｅｑにもＳＴＮ−ＳＲが含まれている。
【００９２】
続いて、ＦＡＰ３００は、ＶｏＬＴＥ  ＩＭＳに対して、ＳＩＰのプロトコルを用いてＵＥ５００の呼設定要求を行う。まずは、ＦＡＰ３００は、ＩＮＶＩＴＥにＳＴＮ−ＳＲを含めて、ＶｏＬＴＥ  ＩＭＳのＡＴＣＦ４２０に対して当該ＩＮＶＩＴＥを送信する（ステップＳ６４）。このとき、ＦＡＰ３００は、ＧＷ１００から送信されてきたＳＲＶＣＣ  ｒｅｑに含まれているＳＴＮ−ＳＲを参照することで、ＩＮＶＩＴＥの送信先となるＡＴＣＦ４２０を識別することができる。
【００９３】
ＩＮＶＩＴＥに対して、ＶｏＬＴＥ  ＩＭＳは、試行中であることを示す暫定応答１００  ＴｒｙｉｎｇをＦＡＰ３００へ送信する（ステップＳ６５）。また、ＶｏＬＴＥ  ＩＭＳは、セッションが進行したことを示す１８３  Ｓｅｓｓｉｏｎ  ＰｒｏｇｒｅｓｓをＦＡＰ３００へ送信する（ステップＳ６６）。すると、ＦＡＰ３００は、ステップＳ６５，Ｓ６６の暫定的なレスポンスに対する確認を要求するためのＰＲＡＣＫをＶｏＬＴＥ  ＩＭＳへ送信する（ステップＳ６７）。
【００９４】
その後、ＶｏＬＴＥ  ＩＭＳは、ステップＳ６７に対する応答である２００  ＯＫをＦＡＰ３００へ送信する（ステップＳ６８）。また、ＶｏＬＴＥ  ＩＭＳは、ステップＳ６４のＩＮＶＩＴＥに対する応答である２００  ＯＫをＦＡＰ３００へ送信する（ステップＳ６９）。すると、ＦＡＰ３００は、ＶｏＬＴＥ  ＩＭＳへＩＮＶＩＴＥメッセージの成功応答であるＡＣＫを送信する（ステップＳ７０）。
【００９５】
続いて、ＦＡＰ３００は、ＳＲＶＣＣ  Ｒｅｓｐを送信することで、ステップＳ６３の要求に対応する応答（ＳＲＶＣＣ応答）をＧＷ１００に対して行う（ステップＳ７１）。ＦＡＰ３００から送信されたＳＲＶＣＣ  ＲｅｓｐをＦＡＰインタフェース部１２０が受信すると、引継処理部１３０がＭＭＥインタフェース部１１０を介してＭＭＥ２００へＳＲＶＣＣ  Ｒｅｓｐを送信することで、ステップＳ６２の要求に対応する応答（ＳＲＶＣＣ応答）を行う（ステップＳ７２）。
【００９６】
続いて、ＭＭＥ２００がｅＮＢ２１０を介してＵＥ５００へステップＳ６１のハンドオーバの処理の要求に対応する応答を行う（ステップＳ７３）。すると、ＵＥ５００はＦＡＰ３００と接続する（ステップＳ７４）。
【００９７】
すると、ＦＡＰ３００は、ＳＲＶＣＣ機能を用いた音声引継が完了した旨を示すＳＲＶＣＣ  Ｃｏｍｐ  ＮｏｔｉｆｉｃａｔｉｏｎをＧＷ１００へ送信する（ステップＳ７５）。続いて、ＧＷ１００の引継処理部１３０は、ＳＲＶＣＣ  Ｃｏｍｐ  Ｎｏｔｉｆｉｃａｔｉｏｎを、ＭＭＥインタフェース部１１０を介してＭＭＥ２００へ送信する（ステップＳ７６）。ＳＲＶＣＣ  Ｃｏｍｐ  Ｎｏｔｉｆｉｃａｔｉｏｎを受信したＭＭＥ２００は、その応答であるＳＲＶＣＣ  Ｃｏｍｐ  ＡｃｋをＧＷ１００へ送信する（ステップＳ７７）。続いて、ＧＷ１００の引継処理部１３０は、ステップＳ７５の応答であるＳＲＶＣＣ  Ｃｏｍｐ  Ａｃｋを、ＦＡＰインタフェース部１２０を介してＦＡＰ３００へ送信する（ステップＳ７８）。
【００９８】
その後、ＵＥ５００、ＦＡＰ３００、ＰＳ／ＡＡＡ、ＨＳＳ（ＶＬＲ）、ＭＭＥ２００およびＨＬＲ／ＨＳＳの間で通常のＩｎｔｅｒ−ＲＡＴ  ＲＡ  Ｕｐｄａｔｅ手順が実行される（ステップＳ７９）。
【００９９】
続いて、ＶｏＬＴＥ  ＩＭＳがＵＥ５００へＢＹＥを送信し（ステップＳ８０）、ＵＥ５００は、その応答としてＶｏＬＴＥ  ＩＭＳへ２００  ＯＫを送信する（ステップＳ８１）。これにより、音声引継前の呼が切断される。
【０１００】
そして、ＵＥ５００は、ＭＭ／ＣＣを生起する（ステップＳ８２）。このときのＴＩの値は「１０００」である。また、同様にＦＡＰ３００は、ＭＭ／ＣＣを生起する（ステップＳ８３）。このときのＴＩの値は「００００」である。
【０１０１】
すると、ＵＥ５００、ＦＡＰ３００、Ｐ−ＣＳＣＦ３２０、Ｓ−ＣＳＣＦ３３０、ＨＳＳ（ＶＬＲ）、ＨＬＲ／ＨＳＳ６１０の間で、ＵＥ５００の位置登録手順が実行される（ステップＳ８４）。このとき、ＵＥ５００の認証手順も実行される。そして、ＳＲＶＣＣ後の通話が行われる。
【０１０２】
その後、ＵＥ５００が通話を終了すると（ステップＳ８５）、ＵＥ５００は、ＣＣの処理でリンク切断要求（ＤＩＳＣ）をＦＡＰ３００に対して行う（ステップＳ８６）。このときのＴＩの値は「１０００」である。すると、ＦＡＰ３００はＶｏＬＴＥ  ＩＭＳに対して、呼を切断するためにＢＹＥを送信する（ステップＳ８７）。ＶｏＬＴＥ  ＩＭＳはＧＭＳＣ６００に対して、呼の解放を要求するＲＥＬ（ＲＥＬＥＡＳＥ）を送信する（ステップＳ８８）。また、ＶｏＬＴＥ  ＩＭＳは、ステップＳ８７の応答として、２００  ＯＫをＦＡＰ３００へ送信する（ステップＳ８９）。また、ＧＭＳＣ６００は、呼の解放を完了させると、ＶｏＬＴＥ  ＩＭＳに対して、ＲＬＣを送信する（ステップＳ９０）。
【０１０３】
ＶｏＬＴＥ  ＩＭＳから２００  ＯＫを受信したＦＡＰ３００は、ＣＣの処理でリンク解放（ＲＥＬ）をＵＥ５００に対して送信する（ステップＳ９１）。このときのＴＩの値は「００００」である。すると、ＵＥ５００は、ＲＥＬＣＯＭＰをＦＡＰ３００に対して送信する（ステップＳ９２）。このときのＴＩの値は「１０００」である。
【０１０４】
図１０Ａ〜１０Ｃは、図６および図７に示した通信ネットワーク構成における通信方法のうち、ＵＥ５００が音声発信した呼び出し中に、ＵＥ５００がＬＴＥエリア２２０からＩＭＳ−フェムトセルエリア３１０へ移動したときの処理を説明するためのシーケンス図である。
【０１０５】
ＵＥ５００が他の通信装置を呼び出し中、つまり発呼処理中に、ＵＥ５００がＬＴＥエリア２２０からＩＭＳ−フェムトセルエリア３１０へ移動すると、ＵＥ５００がｅＮＢ２１０を介してＭＭＥ２００へハンドオーバの処理を要求する（ステップＳ１０１）。すると、ＭＭＥ２００は、ＧＷ１００へＳＲＶＣＣ  ｒｅｑを送信してＳＲＶＣＣの要求を行う（ステップＳ１０２）。ＵＥ５００が行っている呼び出しが一般音声呼である場合、ＳＲＶＣＣ  ｒｅｑにはＳＴＮ−ＳＲが含まれている。一般音声呼では、音声発信前のＶｏＬＴＥ  ＩＭＳ側での位置登録の際に、ＳＴＮ−ＳＲがＨＬＲ／ＨＳＳに保持されており、そのＳＴＮ−ＳＲがＳＲＶＣＣ  ｒｅｑに付与されてくる。また、ＵＥ５００が行っている呼び出しが緊急呼である場合、ＳＲＶＣＣ  ｒｅｑにはＳＴＮ−ＳＲは含まれていない。
【０１０６】
ＭＭＥ２００から送信されたＳＲＶＣＣ  ｒｅｑをＧＷ１００のＭＭＥインタフェース部１１０が受信すると、引継処理部１３０は、ＵＥ５００の呼処理の引継ぎ（ＳＲＶＣＣ）を要求する要求信号であるＳＲＶＣＣ  ｒｅｑの送信先の検索をＦＡＰデータ管理部１４０へ要求する。ＦＡＰデータ管理部１４０は、引継処理部１３０からＳＲＶＣＣ  ｒｅｑの送信先の検索を要求された場合、管理しているフェムトセル用基地局の中からＳＲＶＣＣ  ｒｅｑの送信先となるフェムトセル用基地局を検索する。続いて、ＦＡＰデータ管理部１４０は、検索の結果を引継処理部１３０へ通知する。引継処理部１３０は、ＦＡＰデータ管理部１４０から通知された検索結果に示された送信先のＦＡＰ３００へ、ＦＡＰインタフェース部１２０を介してＳＲＶＣＣ  ｒｅｑを送信する（ステップＳ１０３）。ＵＥ５００が行っている呼び出しが一般音声呼である場合、ＧＷ１００からＦＡＰ３００へ送信するＳＲＶＣＣ  ｒｅｑにもＳＴＮ−ＳＲが含まれている。
【０１０７】
続いて、ＦＡＰ３００は、ＶｏＬＴＥ  ＩＭＳに対して、ＳＩＰのプロトコルを用いてＵＥ５００の呼設定要求を行う。まずは、ＦＡＰ３００は、ＩＮＶＩＴＥにＳＴＮ−ＳＲを含めて、ＶｏＬＴＥ  ＩＭＳのＡＴＣＦ４２０に対して当該ＩＮＶＩＴＥを送信する（ステップＳ１０４）。このとき、ＵＥ５００が行っている呼び出しが一般音声呼である場合、ＦＡＰ３００は、ＧＷ１００から送信されてきたＳＲＶＣＣ  ｒｅｑに含まれているＳＴＮ−ＳＲを参照することで、ＩＮＶＩＴＥの送信先となるＡＴＣＦ４２０を識別することができる。また、ＵＥ５００が行っている呼び出しが緊急呼である場合は、ＧＷ１００から送信されてきたＳＲＶＣＣ  ｒｅｑにＳＴＮ−ＳＲが含まれていないため、ＦＡＰ３００は、Ｅ−ＳＴＮ−ＳＲをＩＮＶＩＴＥに含めて、ＶｏＬＴＥ  ＩＭＳのＥＡＴＦ４９０に対して当該ＩＮＶＩＴＥを送信する。このＥ−ＳＴＮ−ＳＲは、呼を生起する発信側でアサインする番号であるため、ＩＭＳ−Ｆｅｍｔｏ３４０にて付与される。ここでは、ＦＡＰ３００がＥ−ＳＴＮ−ＳＲを付与する。
【０１０８】
ＩＮＶＩＴＥに対して、ＶｏＬＴＥ  ＩＭＳは、試行中であることを示す暫定応答１００  ＴｒｙｉｎｇをＦＡＰ３００へ送信する（ステップＳ１０５）。また、ＶｏＬＴＥ  ＩＭＳは、セッションが進行したことを示す１８３  Ｓｅｓｓｉｏｎ  ＰｒｏｇｒｅｓｓをＦＡＰ３００へ送信する（ステップＳ１０６）。すると、ＦＡＰ３００は、ステップＳ１０５，Ｓ１０６の暫定的なレスポンスに対する確認を要求するためのＰＲＡＣＫをＶｏＬＴＥ  ＩＭＳへ送信する（ステップＳ１０７）。
【０１０９】
その後、ＶｏＬＴＥ  ＩＭＳは、ステップＳ１０７に対する応答である２００  ＯＫをＦＡＰ３００へ送信する（ステップＳ１０８）。また、ＶｏＬＴＥ  ＩＭＳは、状態が呼び出し中であること、および、発呼側からの呼設定要求であることを示す情報の通知を、ＩＮＦＯメッセージを用いてＦＡＰ３００へ行う（ステップＳ１０９）。すると、ＦＡＰ３００は、その応答として２００  ＯＫをＶｏＬＴＥ  ＩＭＳへ送信する（ステップＳ１１０）。
【０１１０】
続いて、ＦＡＰ３００は、ＳＲＶＣＣ  Ｒｅｓｐを送信することで、ステップＳ１０３の要求に対応する応答（ＳＲＶＣＣ応答）をＧＷ１００に対して行う（ステップＳ１１１）。ＦＡＰ３００から送信されたＳＲＶＣＣ  ＲｅｓｐをＦＡＰインタフェース部１２０が受信すると、引継処理部１３０がＭＭＥインタフェース部１１０を介してＭＭＥ２００へＳＲＶＣＣ  Ｒｅｓｐを送信することで、ステップＳ１０２の要求に対応する応答（ＳＲＶＣＣ応答）を行う（ステップＳ１１２）。
【０１１１】
続いて、ＭＭＥ２００がｅＮＢ２１０を介してＵＥ５００へステップＳ１０１のハンドオーバの処理の要求に対応する応答を行う（ステップＳ１１３）。すると、ＵＥ５００はＦＡＰ３００と接続する（ステップＳ１１４）。
【０１１２】
すると、ＦＡＰ３００は、ＳＲＶＣＣ機能を用いた音声引継が完了した旨を示すＳＲＶＣＣ  Ｃｏｍｐ  ＮｏｔｉｆｉｃａｔｉｏｎをＧＷ１００へ送信する（ステップＳ１１５）。続いて、ＧＷ１００の引継処理部１３０は、ＳＲＶＣＣ  Ｃｏｍｐ  Ｎｏｔｉｆｉｃａｔｉｏｎを、ＭＭＥインタフェース部１１０を介してＭＭＥ２００へ送信する（ステップＳ１１６）。ＳＲＶＣＣ  Ｃｏｍｐ  Ｎｏｔｉｆｉｃａｔｉｏｎを受信したＭＭＥ２００は、その応答であるＳＲＶＣＣ  Ｃｏｍｐ  ＡｃｋをＧＷ１００へ送信する（ステップＳ１１７）。続いて、ＧＷ１００の引継処理部１３０は、ステップＳ１１５の応答であるＳＲＶＣＣ  Ｃｏｍｐ  Ａｃｋを、ＦＡＰインタフェース部１２０を介してＦＡＰ３００へ送信する（ステップＳ１１８）。
【０１１３】
その後、ＵＥ５００、ＦＡＰ３００、ＰＳ／ＡＡＡ、ＨＳＳ（ＶＬＲ）、ＭＭＥ２００およびＨＬＲ／ＨＳＳの間で通常のＩｎｔｅｒ−ＲＡＴ  ＲＡ  Ｕｐｄａｔｅ手順が実行される（ステップＳ１１９）。
【０１１４】
続いて、ＵＥ５００は、ＭＭ／ＣＣを生起する（ステップＳ１２０）。このときのＴＩの値は「００００」である。また、同様にＦＡＰ３００は、ＭＭ／ＣＣを生起する（ステップＳ１２１）。このときのＴＩの値は「１０００」である。
【０１１５】
すると、ＵＥ５００、ＦＡＰ３００、Ｐ−ＣＳＣＦ３２０、Ｓ−ＣＳＣＦ３３０、ＨＳＳ（ＶＬＲ）、ＨＬＲ／ＨＳＳ６１０の間で、ＵＥ５００の位置登録手順が実行される（ステップＳ１２２）。このとき、ＵＥ５００の認証手順も実行される。
【０１１６】
その後、ＵＥ５００が呼び出しを行っている着側が応答すると（ステップＳ１２３）、ＧＭＳＣ６００は、応答メッセージであるＡＮＭをＶｏＬＴＥ  ＩＭＳへ送信する（ステップＳ１２４）。このＡＮＭは、ＩＳＵＰで定義されている信号である。以下の説明について、同様である。すると、ＶｏＬＴＥ  ＩＭＳは、ステップＳ１０４のＩＮＶＩＴＥに対する応答である２００  ＯＫをＦＡＰ３００へ送信する（ステップＳ１２５）。
【０１１７】
ＶｏＬＴＥ  ＩＭＳから２００  ＯＫを受信したＦＡＰ３００は、ＣＣの処理でリンク接続（ＣＯＮＮ）をＵＥ５００に対して送信する（ステップＳ１２６）。このときのＴＩの値は「１０００」である。すると、ＵＥ５００は、ＣＯＮＮＡＣＫをＦＡＰ３００に対して送信する（ステップＳ１２７）。このときのＴＩの値は「００００」である。
【０１１８】
続いて、ＦＡＰ３００は、ステップＳ１２５に対する応答であるＡＣＫをＶｏＬＴＥ  ＩＭＳへ送信する（ステップＳ１２８）。ＶｏＬＴＥ  ＩＭＳは、音声引継前の呼を発見できないことを示す４０４  Ｎｏｔ  ＦｏｕｎｄをＵＥ５００へ送信し（ステップＳ１２９）、ＵＥ５００は、その応答としてＶｏＬＴＥ  ＩＭＳへＡＣＫを送信する（ステップＳ１３０）。そして、ＳＲＶＣＣ後の通話が行われる。
【０１１９】
その後、ＵＥ５００が通話を終了すると（ステップＳ１３１）、ＵＥ５００は、ＣＣの処理でリンク切断要求（ＤＩＳＣ）をＦＡＰ３００に対して行う（ステップＳ１３２）。このときのＴＩの値は「００００」である。すると、ＦＡＰ３００はＶｏＬＴＥ  ＩＭＳに対して、呼を切断するためにＢＹＥを送信する（ステップＳ１３３）。ＶｏＬＴＥ  ＩＭＳはＧＭＳＣ６００に対して、呼の解放を要求するＲＥＬ（ＲＥＬＥＡＳＥ）を送信する（ステップＳ１３４）。また、ＶｏＬＴＥ  ＩＭＳは、ステップＳ１３３の応答として、２００  ＯＫをＦＡＰ３００へ送信する（ステップＳ１３５）。また、ＧＭＳＣ６００は、呼の解放を完了させると、ＶｏＬＴＥ  ＩＭＳに対して、ＲＬＣを送信する（ステップＳ１３６）。
【０１２０】
ＶｏＬＴＥ  ＩＭＳから２００  ＯＫを受信したＦＡＰ３００は、ＣＣの処理でリンク解放（ＲＥＬ）をＵＥ５００に対して送信する（ステップＳ１３７）。このときのＴＩの値は「１０００」である。すると、ＵＥ５００は、ＲＥＬＣＯＭＰをＦＡＰ３００に対して送信する（ステップＳ１３８）。このときのＴＩの値は「００００」である。
【０１２１】
図１１Ａ〜１１Ｃは、図６および図７に示した通信ネットワーク構成における通信方法のうち、ＵＥ５００に音声着信した呼び出し中に、ＵＥ５００がＬＴＥエリア２２０からＩＭＳ−フェムトセルエリア３１０へ移動したときの処理を説明するためのシーケンス図である。
【０１２２】
他の通信装置がＵＥ５００を呼び出し中、つまりＵＥ５００が着呼処理中に、ＵＥ５００がＬＴＥエリア２２０からＩＭＳ−フェムトセルエリア３１０へ移動すると、ＵＥ５００がｅＮＢ２１０を介してＭＭＥ２００へハンドオーバの処理を要求する（ステップＳ１５１）。すると、ＭＭＥ２００は、ＧＷ１００へＳＲＶＣＣ  ｒｅｑを送信してＳＲＶＣＣの要求を行う（ステップＳ１５２）。このＳＲＶＣＣ  ｒｅｑにはＳＴＮ−ＳＲが含まれている。一般音声呼では、音声発信前のＶｏＬＴＥ  ＩＭＳ側での位置登録の際に、ＳＴＮ−ＳＲがＨＬＲ／ＨＳＳに保持されており、そのＳＴＮ−ＳＲがＳＲＶＣＣ  ｒｅｑに付与されてくる。
【０１２３】
ＭＭＥ２００から送信されたＳＲＶＣＣ  ｒｅｑをＧＷ１００のＭＭＥインタフェース部１１０が受信すると、引継処理部１３０は、ＵＥ５００の呼処理の引継ぎ（ＳＲＶＣＣ）を要求する要求信号であるＳＲＶＣＣ  ｒｅｑの送信先の検索をＦＡＰデータ管理部１４０へ要求する。ＦＡＰデータ管理部１４０は、引継処理部１３０からＳＲＶＣＣ  ｒｅｑの送信先の検索を要求された場合、管理しているフェムトセル用基地局の中からＳＲＶＣＣ  ｒｅｑの送信先となるフェムトセル用基地局を検索する。続いて、ＦＡＰデータ管理部１４０は、検索の結果を引継処理部１３０へ通知する。引継処理部１３０は、ＦＡＰデータ管理部１４０から通知された検索結果に示された送信先のＦＡＰ３００へ、ＦＡＰインタフェース部１２０を介してＳＲＶＣＣ  ｒｅｑを送信する（ステップＳ１５３）。ＧＷ１００からＦＡＰ３００へ送信されるＳＲＶＣＣ  ｒｅｑにもＳＴＮ−ＳＲが含まれている。
【０１２４】
続いて、ＦＡＰ３００は、ＶｏＬＴＥ  ＩＭＳに対して、ＳＩＰのプロトコルを用いてＵＥ５００の呼設定要求を行う。まずは、ＦＡＰ３００は、ＩＮＶＩＴＥにＳＴＮ−ＳＲを含めて、ＶｏＬＴＥ  ＩＭＳのＡＴＣＦ４２０に対して当該ＩＮＶＩＴＥを送信する（ステップＳ１５４）。このとき、ＦＡＰ３００は、ＧＷ１００から送信されてきたＳＲＶＣＣ  ｒｅｑに含まれているＳＴＮ−ＳＲを参照することで、ＩＮＶＩＴＥの送信先となるＡＴＣＦ４２０を識別することができる。
【０１２５】
ＩＮＶＩＴＥに対して、ＶｏＬＴＥ  ＩＭＳは、試行中であることを示す暫定応答１００  ＴｒｙｉｎｇをＦＡＰ３００へ送信する（ステップＳ１５５）。また、ＶｏＬＴＥ  ＩＭＳは、セッションが進行したことを示す１８３  Ｓｅｓｓｉｏｎ  ＰｒｏｇｒｅｓｓをＦＡＰ３００へ送信する（ステップＳ１５６）。すると、ＦＡＰ３００は、ステップＳ１５５，Ｓ１５６の暫定的なレスポンスに対する確認を要求するためのＰＲＡＣＫをＶｏＬＴＥ  ＩＭＳへ送信する（ステップＳ１５７）。
【０１２６】
その後、ＶｏＬＴＥ  ＩＭＳは、ステップＳ１５７に対する応答である２００  ＯＫをＦＡＰ３００へ送信する（ステップＳ１５８）。また、ＶｏＬＴＥ  ＩＭＳは、状態が呼び出し中であること、および、着呼側からの呼設定要求であることを示す情報の通知を、ＩＮＦＯメッセージを用いてＦＡＰ３００へ行う（ステップＳ１５９）。すると、ＦＡＰ３００は、その応答として２００  ＯＫをＶｏＬＴＥ  ＩＭＳへ送信する（ステップＳ１６０）。
【０１２７】
続いて、ＦＡＰ３００は、ＳＲＶＣＣ  Ｒｅｓｐを送信することで、ステップＳ１５３の要求に対応する応答（ＳＲＶＣＣ応答）をＧＷ１００に対して行う（ステップＳ１６１）。ＦＡＰ３００から送信されたＳＲＶＣＣ  ＲｅｓｐをＦＡＰインタフェース部１２０が受信すると、引継処理部１３０がＭＭＥインタフェース部１１０を介してＭＭＥ２００へＳＲＶＣＣ  Ｒｅｓｐを送信することで、ステップＳ１５２の要求に対応する応答（ＳＲＶＣＣ応答）を行う（ステップＳ１６２）。
【０１２８】
続いて、ＭＭＥ２００がｅＮＢ２１０を介してＵＥ５００へステップＳ１５１のハンドオーバの処理の要求に対応する応答を行う（ステップＳ１６３）。すると、ＵＥ５００はＦＡＰ３００と接続する（ステップＳ１６４）。
【０１２９】
すると、ＦＡＰ３００は、ＳＲＶＣＣ機能を用いた音声引継が完了した旨を示すＳＲＶＣＣ  Ｃｏｍｐ  ＮｏｔｉｆｉｃａｔｉｏｎをＧＷ１００へ送信する（ステップＳ１６５）。続いて、ＧＷ１００の引継処理部１３０は、ＳＲＶＣＣ  Ｃｏｍｐ  Ｎｏｔｉｆｉｃａｔｉｏｎを、ＭＭＥインタフェース部１１０を介してＭＭＥ２００へ送信する（ステップＳ１６６）。ＳＲＶＣＣ  Ｃｏｍｐ  Ｎｏｔｉｆｉｃａｔｉｏｎを受信したＭＭＥ２００は、その応答であるＳＲＶＣＣ  Ｃｏｍｐ  ＡｃｋをＧＷ１００へ送信する（ステップＳ１６７）。続いて、ＧＷ１００の引継処理部１３０は、ステップＳ１６５の応答であるＳＲＶＣＣ  Ｃｏｍｐ  Ａｃｋを、ＦＡＰインタフェース部１２０を介してＦＡＰ３００へ送信する（ステップＳ１６８）。
【０１３０】
その後、ＵＥ５００、ＦＡＰ３００、ＰＳ／ＡＡＡ、ＨＳＳ（ＶＬＲ）、ＭＭＥ２００およびＨＬＲ／ＨＳＳの間で通常のＩｎｔｅｒ−ＲＡＴ  ＲＡ  Ｕｐｄａｔｅ手順が実行される（ステップＳ１６９）。
【０１３１】
続いて、ＵＥ５００は、ＭＭ／ＣＣを生起する（ステップＳ１７０）。このときのＴＩの値は「１０００」である。また、同様にＦＡＰ３００は、ＭＭ／ＣＣを生起する（ステップＳ１７１）。このときのＴＩの値は「００００」である。
【０１３２】
すると、ＵＥ５００、ＦＡＰ３００、Ｐ−ＣＳＣＦ３２０、Ｓ−ＣＳＣＦ３３０、ＨＳＳ（ＶＬＲ）、ＨＬＲ／ＨＳＳ６１０の間で、ＵＥ５００の位置登録手順が実行される（ステップＳ１７２）。このとき、ＵＥ５００の認証手順も実行される。
【０１３３】
その後、呼び出しの着側であるＵＥ５００が応答すると（ステップＳ１７３）、ＵＥ５００は、ＣＣの処理でリンク接続（ＣＯＮＮ）をＦＡＰ３００に対して送信する（ステップＳ１７４）。このときのＴＩの値は「１０００」である。すると、ＦＡＰ３００は、ＶｏＬＴＥ  ＩＭＳに対して、呼が受け入れられたことを示す通知を、ＩＮＦＯメッセージを用いて行う（ステップＳ１７５）。ＶｏＬＴＥ  ＩＭＳはＦＡＰ３００に対して、このＩＮＦＯメッセージへの応答である２００  ＯＫを送信する（ステップＳ１７６）。また、ＶｏＬＴＥ  ＩＭＳは、ＧＭＳＣ６００へＡＮＭを送信する（ステップＳ１７７）。すると、ＶｏＬＴＥ  ＩＭＳは、ステップＳ１５４のＩＮＶＩＴＥに対する応答である２００  ＯＫをＦＡＰ３００へ送信する（ステップＳ１７８）。
【０１３４】
ＶｏＬＴＥ  ＩＭＳから２００  ＯＫを受信したＦＡＰ３００は、ステップＳ１７４の応答であるＣＯＮＮＡＣＫをＵＥ５００に対して送信する（ステップＳ１７９）。このときのＴＩの値は「００００」である。
【０１３５】
続いて、ＦＡＰ３００は、ステップＳ１７８に対する応答であるＡＣＫをＶｏＬＴＥ  ＩＭＳへ送信する（ステップＳ１８０）。すると、ＶｏＬＴＥ  ＩＭＳは、着呼処理中にＵＥ５００へ送信したＩＮＶＩＴＥメッセージをキャンセルするために、ＣＡＮＣＥＬをＵＥ５００へ送信し（ステップＳ１８１）、ＵＥ５００は、その応答としてＶｏＬＴＥ  ＩＭＳへ２００  ＯＫを送信する（ステップＳ１８２）。また、ＵＥ５００は、ステップＳ１８１にてＶｏＬＴＥ  ＩＭＳから送信されたＣＡＮＣＥＬを受信したことで、ＩＮＶＩＴＥメッセージによる要求が終了したことを示す４８７  Ｒｅｑｕｅｓｔ  ＴｅｒｍｉｎａｔｅｄをＶｏＬＴＥ  ＩＭＳへ送信する（ステップＳ１８３）。ＶｏＬＴＥ  ＩＭＳは、その応答としてＵＥ５００へＡＣＫを送信する（ステップＳ１８４）。そして、ＳＲＶＣＣ後の通話が行われる。
【０１３６】
その後、ＵＥ５００が通話を終了すると（ステップＳ１８５）、ＵＥ５００は、ＣＣの処理でリンク切断要求（ＤＩＳＣ）をＦＡＰ３００に対して行う（ステップＳ１８６）。このときのＴＩの値は「１０００」である。すると、ＦＡＰ３００はＶｏＬＴＥ  ＩＭＳに対して、呼を切断するためにＢＹＥを送信する（ステップＳ１８７）。ＶｏＬＴＥ  ＩＭＳはＧＭＳＣ６００に対して、呼の解放を要求するＲＥＬ（ＲＥＬＥＡＳＥ）を送信する（ステップＳ１８８）。また、ＶｏＬＴＥ  ＩＭＳは、ステップＳ１８７の応答として、２００  ＯＫをＦＡＰ３００へ送信する（ステップＳ１８９）。また、ＧＭＳＣ６００は、呼の解放を完了させると、ＶｏＬＴＥ  ＩＭＳに対して、ＲＬＣ（Ｒｅｌｅａｓｅ  Ｃｏｍｐｌｅｔｅ）を送信する（ステップＳ１９０）。
【０１３７】
ＶｏＬＴＥ  ＩＭＳから２００  ＯＫを受信したＦＡＰ３００は、ＣＣの処理でリンク解放（ＲＥＬ）をＵＥ５００に対して送信する（ステップＳ１９１）。このときのＴＩの値は「００００」である。すると、ＵＥ５００は、ＲＥＬＣＯＭＰをＦＡＰ３００に対して送信する（ステップＳ１９２）。このときのＴＩの値は「１０００」である。
【０１３８】
このように、本形態においては、ＭＭＥ２００とＦＡＰ３００との間に、ＭＭＥ２００との間のインタフェース機能、ＦＡＰ３００との間のインタフェース機能、およびＳＲＶＣＣ機能を持ったＧＷ１００を設ける。そして、ＧＷ１００がＭＭＥ２００から呼の引継の要求を受けた場合、ＧＷ１００はＦＡＰ３００に対して呼の引継を要求する。これにより、ＶｏＬＴＥ機能を用いて音声通話中または呼び出し中のＵＥ５００が、ＬＴＥエリア２２０からＩＭＳ−フェムトセルエリア３１０へ移動した際、その音声通話または呼び出しを引き継ぐことができる。
【０１３９】
また、変形例として、上述したＧＷ１００の機能をＦＡＰ３００が具備する形態も考えられる。
【０１４０】
上述したＧＷ１００に設けられた各構成要素が行う処理は、目的に応じてそれぞれ作製された論理回路で行うようにしても良い。また、処理内容を手順として記述したコンピュータプログラム（以下、プログラムと称する）をＧＷ１００にて読取可能な記録媒体に記録し、この記録媒体に記録されたプログラムをＧＷ１００に読み込ませ、実行するものであっても良い。ＧＷ１００にて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｃ）などの移設可能な記録媒体の他、ＧＷ１００に内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｋ  Ｄｒｉｖｅ）等を指す。この記録媒体に記録されたプログラムは、ＧＷ１００に設けられたＣＰＵ（Ｃｅｎｔｒａｌ  Ｐｒｏｃｅｓｓｉｎｇ  Ｕｎｉｔ）（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【０１４１】
上記の実施の形態の一部または全部は、以下の付記のようにも記載され得るが、以下には限られない。
（付記１）ＬＴＥ（Ｌｏｎｇ  Ｔｅｒｍ  Ｅｖｏｌｕｔｉｏｎ）網に配置されたコントロールノードと、ＩＭＳ（ＩＰ  Ｍｕｌｔｉｍｅｄｉａ  Ｓｕｂｓｙｓｔｅｍ）−フェムトセルエリアを通信エリアとするフェムトセル用基地局とに接続され、音声通話中または呼び出し中の携帯端末が前記ＬＴＥ網の通信エリアから前記ＩＭＳ−フェムトセルエリアへ移動した際、該携帯端末の呼処理を、前記コントロールノードから前記フェムトセル用基地局へ引き継がせるゲートウェイ装置。
（付記２）前記コントロールノードとの間のインタフェース機能を持つＭＭＥインタフェース部と、
前記フェムトセル用基地局との間のインタフェース機能を持つＦＡＰインタフェース部と、
前記ＭＭＥインタフェース部が、前記コントロールノードから送信された所定の信号を受信した場合、前記呼処理の引継ぎを要求する要求信号を、前記ＦＡＰインタフェース部を介して前記フェムトセル用基地局へ送信する引継処理部とを有する、付記１に記載のゲートウェイ装置。
（付記３）前記フェムトセル用基地局を管理するＦＡＰデータ管理部を有し、
前記引継処理部は、前記ＭＭＥインタフェース部が、前記コントロールノードから送信された所定の信号を受信した場合、前記要求信号の送信先の検索を前記ＦＡＰデータ管理部へ要求し、前記ＦＡＰデータ管理部から通知された検索結果に基づいて、前記要求信号を送信し、
前記ＦＡＰデータ管理部は、前記引継処理部から前記要求信号の送信先の検索を要求された場合、管理しているフェムトセル用基地局の中から前記要求信号の送信先を検索し、該検索の結果を前記引継処理部へ通知する、付記２に記載のゲートウェイ装置。
（付記４）前記引継処理部は、前記要求信号を前記フェムトセル用基地局へ送信した後、該フェムトセル用基地局から該要求信号に対応する第１の応答信号が送信されてきた場合、前記ＭＭＥインタフェース部が受信した前記所定の信号に対応する第２の応答信号を、前記ＭＭＥインタフェース部を介して前記コントロールノードへ送信する、付記２または付記３に記載のゲートウェイ装置。
（付記５）前記引継処理部は、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）機能を用いて前記携帯端末の呼処理を引き継がせる、付記２から４のいずれか１項に記載のゲートウェイ装置。
（付記６）ＩＭＳ−フェムトセルエリアを通信エリアとし、ゲートウェイ装置から、音声通話中または呼び出し中の携帯端末の呼処理を、ＬＴＥ（Ｌｏｎｇ  Ｔｅｒｍ  Ｅｖｏｌｕｔｉｏｎ）網に配置されたコントロールノードから引き継ぐ要求を受けた場合、ＶｏＬＴＥ（Ｖｏｉｃｅ  ｏｖｅｒ  ＬＴＥ）の機能を有する所定のサーバに対して呼の設定要求を行うためのメッセージを送信するフェムトセル用基地局。
（付記７）音声通話を行う携帯端末と、
ＬＴＥ（Ｌｏｎｇ  Ｔｅｒｍ  Ｅｖｏｌｕｔｉｏｎ）網に配置されたコントロールノードと、
ＩＭＳ（ＩＰ  Ｍｕｌｔｉｍｅｄｉａ  Ｓｕｂｓｙｓｔｅｍ）−フェムトセルエリアを通信エリアとするフェムトセル用基地局と、
前記コントロールノードと、前記フェムトセル用基地局とに接続され、音声通話中または呼び出し中の前記携帯端末が前記ＬＴＥ網の通信エリアから前記ＩＭＳ−フェムトセルエリアへ移動した際、該携帯端末の呼処理を、前記コントロールノードから前記フェムトセル用基地局へ引き継がせるゲートウェイ装置とを有し、
前記フェムトセル用基地局は、前記ゲートウェイ装置から、前記携帯端末の呼処理を、前記コントロールノードから引き継ぐ要求を受けた場合、ＶｏＬＴＥ（Ｖｏｉｃｅ  ｏｖｅｒ  ＬＴＥ）の機能を有する所定のサーバに対して呼の設定要求を行うためのメッセージを送信する通信システム。
（付記８）音声通話を行う携帯端末と、ＬＴＥ（Ｌｏｎｇ  Ｔｅｒｍ  Ｅｖｏｌｕｔｉｏｎ）網に配置されたコントロールノードと、ＩＭＳ（ＩＰ  Ｍｕｌｔｉｍｅｄｉａ  Ｓｕｂｓｙｓｔｅｍ）−フェムトセルエリアを通信エリアとするフェムトセル用基地局と、前記コントロールノードと前記フェムトセル用基地局とに接続されたゲートウェイ装置とを有する通信システムにおける通信方法であって、
前記ゲートウェイ装置が、音声通話中または呼び出し中の前記携帯端末が前記ＬＴＥ網の通信エリアから前記ＩＭＳ−フェムトセルエリアへ移動した際、該携帯端末の呼処理を、前記コントロールノードから前記フェムトセル用基地局へ引き継がせる処理と、
前記フェムトセル用基地局が、前記ゲートウェイ装置から、前記携帯端末の呼処理を、前記コントロールノードから引き継ぐ要求を受けた場合、ＶｏＬＴＥ（Ｖｏｉｃｅ  ｏｖｅｒ  ＬＴＥ）の機能を有する所定のサーバに対して呼の設定要求を行うためのメッセージを送信する処理とを行う通信方法。
（付記９）音声通話中または呼び出し中の携帯端末が、ＬＴＥ（Ｌｏｎｇ  Ｔｅｒｍ  Ｅｖｏｌｕｔｉｏｎ）網の通信エリアからＩＭＳ（ＩＰ  Ｍｕｌｔｉｍｅｄｉａ  Ｓｕｂｓｙｓｔｅｍ）−フェムトセルエリアへ移動した際、該携帯端末の呼処理を、前記ＬＴＥ網におけるアクセス網に配置されたコントロールノードから前記ＩＭＳ−フェムトセルエリアを通信エリアとするフェムトセル用基地局へ引き継がせる処理を行う通信方法。
（付記１０）ＬＴＥ（Ｌｏｎｇ  Ｔｅｒｍ  Ｅｖｏｌｕｔｉｏｎ）網に配置されたコントロールノードと、ＩＭＳ（ＩＰ  Ｍｕｌｔｉｍｅｄｉａ  Ｓｕｂｓｙｓｔｅｍ）−フェムトセルエリアを通信エリアとするフェムトセル用基地局とに接続されたゲートウェイ装置に、
音声通話中または呼び出し中の携帯端末が前記ＬＴＥ網の通信エリアから前記ＩＭＳ−フェムトセルエリアへ移動した際、該携帯端末の呼処理を、前記コントロールノードから前記フェムトセル用基地局へ引き継がせる手順を実行させるためのプログラム。
【符号の説明】
【０１４２】
１００    ＧＷ
１１０    ＭＭＥインタフェース部
１２０    ＦＡＰインタフェース部
１３０    引継処理部
１４０    ＦＡＰデータ管理部
２００    ＭＭＥ
２１０    ｅＮＢ
２２０    ＬＴＥエリア
２３０    ＤＮＳ
２４０    ＳＰＧＷ
３００    ＦＡＰ
３１０    ＩＭＳ−フェムトセルエリア
３２０，４１０    Ｐ−ＣＳＣＦ
３３０，４５０    Ｓ−ＣＳＣＦ
３４０    ＩＭＳ−Ｆｅｍｔｏ
４００    ＩＭＳ
４２０    ＡＴＣＦ
４３０    ＡＴＧＷ
４４０    ＡＳ
４６０    ＭＧＣＦ
４７０    ＭＧＷ
４８０    Ｅ−ＣＳＣＦ
４９０    ＥＡＴＦ
５００    ＵＥ
６００    ＧＭＳＣ
６１０    ＨＬＲ／ＨＳＳ
【図１】
2015231139.tif 000003
【図２】
2015231139.tif 000004
【図３】
2015231139.tif 000005
【図４】
2015231139.tif 000006
【図５】
2015231139.tif 000007
【図６】
2015231139.tif 000008
【図７】
2015231139.tif 000009
【図８Ａ】
2015231139.tif 000010
【図８Ｂ】
2015231139.tif 000011
【図８Ｃ】
2015231139.tif 000012
【図９Ａ】
2015231139.tif 000013
【図９Ｂ】
2015231139.tif 000014
【図９Ｃ】
2015231139.tif 000015
【図１０Ａ】
2015231139.tif 000016
【図１０Ｂ】
2015231139.tif 000017
【図１０Ｃ】
2015231139.tif 000018
【図１１Ａ】
2015231139.tif 000019
【図１１Ｂ】
2015231139.tif 000020
【図１１Ｃ】
2015231139.tif 000021